【事件の表示】
　特願２００３−　２６４３３「複写機、複写機システム、装置制御方法、および複写機のプログラム」拒絶査定不服審判事件〔平成１６年　８月２６日出願公開、特開２００４−２３７４６９〕について、次のとおり審決する。
【結　論】
　本件審判の請求は、成り立たない。
【理　由】
 　
１　手続の経緯・本願発明
　本願は、平成１５年２月３日の出願であって、平成２１年８月４日付けで拒絶査定がされ、これに対して同年１１月９日に拒絶査定不服審判が請求されたものである。
　本願の発明は、平成２１年５月２５日付けで補正された特許請求の範囲の請求項１ないし６に記載されたものと認められるところ、その請求項１に記載された発明（以下「本願発明」という。）は、次のとおりのものである。
　
「　自機と１以上の他機とで画像データの印刷を分担する分担印刷を制御する制御手段と、
　自機から他機に送信した画像データの該他機での印刷の経過を監視する監視手段と、
　他機から受信した画像データの自機での印刷の経過を該他機に通知する通知手段と、
　を有し、
　自機が前記分担印刷の親機として機能する場合、
　　前記監視手段は子機として機能する他機での印刷の経過を監視し、
　　前記制御手段は自機での印刷の経過と子機での印刷の経過とにより自機と子機とで分担した印刷が完了しているかどうかの判定を行い、分担した印刷が完了しているときには自機の印刷処理を終了するよう制御し、
　自機が前記分担印刷の子機として機能する場合、
　　前記通知手段は自機での印刷の経過を親機として機能する他機に通知し、
　　前記制御手段は親機の印刷実行状態に関わらず自機の印刷が完了しているときには自機の印刷処理を終了するよう制御することを特徴とする複写機。」
　
２　引用された刊行物記載の発明
（刊行物１について）
　原査定の拒絶の理由に引用された特開２００１−５３９４１号公報（以下「刊行物１」という。）には、次の事項が記載されている（下線は審決で付した。以下同じ。）。
　
（１−ａ）「【０００１】
【発明の属する技術分野】本発明は、
複数のデジタル複写機などを相互通信可能（ピアツーピア）に接続させ、マスター機（親機）となる任意の操作機が複写対象の原稿を読み取り、スレーブ機（子機）となる他の装置に対して原稿情報を供給し、所定印刷を分担、あるいは使用勝手のよい装置を選択して印刷する画像形成連結システム
【０００２】
【従来の技術】近年、デジタル複写機は多機能化され、かつユーザビリディが向上されつつある。たとえば大容量の記憶媒体を搭載することより、高速化の要求を満足させ、１ジョブあたりのコピー量の増大をリカバーし、かつジョブ終了までの時間を短縮している。しかし、１台の装置での処理量には限界がある。そこで、たとえば１枚の複写原稿から１００枚の印刷を効率的に処理するためのシステムとして、
デジタル複写機などの画像形成装置を通信回線を介して複数連結し、それぞれ並行して複写を行う、いわゆる連結モードによるコピー動作
連結動作は、たとえば１枚の原稿から１００枚の印刷を行う場合、親機となるマスター機で複写原稿を読み取り、記録紙画像データを作成後、マスター機で５０枚、子機であるスレーブ機で５０枚というように分担させ、スレーブ機に転送し、マスター機とスレーブ機の印刷を並行して行うことにより、約半分の時間で印刷できる機能である
　　
（１−ｂ）「【００１７】
【発明の実施の形態】以下、本発明にかかる画像形成装置連結システムの実施の形態について添付図面を参照し、詳細に説明する。
【００１８】まず、
デジタル複写機の構成
　　
（１−ｃ）「【００３２】つぎに、図２および図３を参照して、ユーザに対する表示、並びにユーザによる機能設定の入力などを行う操作部２０１の構成について説明する。図２は、操作部２０１の各種キーやパネルのレイアウト構成を示す説明図である。図２に示す如く、操作部２０１には、スタートキーであるプリントキー２０２、クリア／ストップキー２０３、テンキー２０４、液晶ディスプレイ２０５、初期設定キー２０６およびリセットキー２０７、さらには余熱キー２０８、割り込みキー２０９が用意されている。なお、液晶ディスプレイ２０５は、部数およびデジタル複写機の状態を示す各種メッセージの表示や、さらに各種情報の入力などに使用される。」
　　
（１−ｄ）「【００３７】また、図３は、操作部２０１の液晶ディスプレイ２０５の表示画面例を示した説明図である。オペレータが液晶ディスプレイ２０５に表示されたキーにタッチすることで、選択された機能を示すキーが反転表示する。また、機能の詳細を指定しなければならない場合（たとえば変倍であれは変倍値など）は、キーにタッチすることで、詳細機能の設定画面が表示される。
【００３８】また、図３において、画面上部は、「コピーできます」、「お待ちください」などのメッセージを表示するメッセージエリアが設けられ、特に
装置を連結してコピー動作するための連結キー３０
　
（１−ｅ）「【００４１】つぎに、図４を参照して、上記デジタル複写機の制御系について詳細に説明する。図４は上記デジタル複写機の制御系を示し、図示の如く、デジタル複写機全体を制御するメインコントローラ４０を中心に各部が配置されている。
メインコントローラ４０には
連結コントローラ４２
が接続されている
連結コントローラ４２は、連結システムを実現するために、連結システム時に、他の画像形成装置の記憶装置に画像信号を転送する画像データ転送制御や、画像記憶装置間の制御を行うための制御信号を転送する制御データ転送制御を行う
　
（１−ｆ）「【００４４】また、
メインコントローラ４０には、複数の画像形成装置に接続して装置の構成および機能情報、動作制御に関する情報の送受信を行うための連結コントローラ４２が接続されている
メインコントローラ４０は連結コントローラ４２を介して接続された他の画像形成装置の情報を取得し、動作を設定することにより、連結動作の制御を実行するか、あるいは接続された他の画像形成装置からの要求を受入れて自機の動作制御を実行する
それぞれの分散制御装置とメインコントローラ４０は、必要に応じて装置の状態や動作指令のやりとりを行っている
　
（１−ｇ）「【００７１】図８は、複数のアプリケーションを実行する際に記憶装置の有効利用を行うための２次記憶装置８１の分割例を示す説明図である。アプリケーション１は分割領域（１），（１’）、アプリケーション２は分割領域（２），（２’）、アプリケーション３は分割領域（３），（３’）を記憶領域として使用する。たとえば、アプリケーション１をコピーすると、アプリケーション１のジョブが実行され分割領域（１’）を使用する。
コピーの場合、この記憶領域はテンポラリバッファとして利用され、スキャナから読み込まれた画像データを蓄積し、ジョブ終了後に蓄積した画像データが破棄され、つぎのジョブに備える
　
（１−ｈ）「【００７６】つぎに、上述した記憶装置の構成において、その割り付け動作を図９に示すフローチャートを用いて説明する。図９は、本発明の実施の形態にかかる記憶装置の割り付け動作を示すフローチャートである。なお、ここでは、図７に示す構成に基づいた動作として説明する。処理が実行されると、まず、記憶装置９１，９２に対してデータ入出力要求があるか否かを判断する（ステップＳ１１）。ここで、データ入出力要求がないと判断した場合には、以降の処理をスキップして終了する。
【００７７】一方、ステップＳ１１でデータ入出力要求があると判断した場合には、要求されたパラメータに基づいて記憶装置９１，９２の制御方法を決定する（ステップＳ１２）。この場合の制御方法として、パラメータ中のアプリケーションの種別、データサイズ、モード、保存の必要性などから記憶装置９１，９２のリソースをどのようにすればよいかを決定する。
【００７８】続いて、上記決定した制御方法の結果に基づいて記憶装置９１，９２の使用状態を調べ（ステップＳ１３）、未使用の記憶装置が存在するか否かを判断する（ステップＳ１４）。ここで、
記憶装置９１，９２が共に使用中であれば、自機は子機であるか否かを判断し（ステップＳ２４）、子機であればステップＳ１４にて未使用の記憶装置が存在しないので親機に対し連結モードの解除コマンドを送信し（ステップＳ２５）
【００７９】一方、ステップＳ１４において、未使用の記憶装置が存在すると判断したならば、２次記憶装置９６，９９の使用状態を調べ、記憶装置の割り付け先を決定する処理（図１１，図１２参照）を実行する（ステップＳ１５）。このステップＳ１５で割り付ける記憶装置が決定されると、割り付けられた記憶装置と使用領域を取得する（ステップＳ１６）。なお、上記取得により、割り付けられた記憶装置は使用状態となる。
【００８０】続いて、上記処理により記憶装置を取得した後、実行するための前処理として、その記憶装置にパラメータを設定する（ステップＳ１７）。
すべての準備が完了したら、データ入力実行準備完了の通知を行い（ステップＳ１８）
【００８１】上記データ入力動作を実行した後、そのデータ入力が終了したか否かを判断し（ステップＳ２１）、データ入力が終了したならば、後処理として記憶装置の解放を行い（ステップＳ２２）、
最後にデータ入力完了通知を行って（ステップＳ２３）
　
（１−ｉ）「【００８２】図１０は、連結システム時における画像データの流れを示すブロック図である。ここでは画像形成装置１００Ａと画像形成装置１００Ｂとを連結し、画像形成装置１００Ａを親機（マスター機）、画像形成装置１００Ｂを子機（スレーブ機）として示している。また、画像形成装置１００Ａ，１００Ｂそれぞれのデータ入出力部および記憶装置の構成は先の図７に示した構成と同一である。
【００８３】図１０における画像データには、たとえば入力データ１〜ｎから取得する（コピー時のスキャンによる画像データの取り込み）場合や、すでに２次記憶装置に蓄積済みのスキャナやプリンタからの画像データを出力する場合がある。
【００８４】親機（画像形成装置１００Ａ）は、上記画像データが読み出された出力データセレクタ９３により印刷部に画像データを送出し（出力データ１，２）、また、子機（画像形成装置１００Ｂ）に対して“連結出力データ”チャンネルで画像データを送信する。子機（画像形成装置１００Ｂ）側では、入力データセレクタ９０で上記画像データを受信する。また、
連結システム動作を実現するために、連結コントローラ４２によるコマンドパスが存在し、このコマンドパスを介して連結印刷のための制御を行っている
　
（１−ｊ）「【００８８】一方、ステップＳ３１において、子機の記憶装置に対する割り付け処理であると判断した場合、親機で指定されているジョブの画像データの属性判別を行う（ステップＳ３４）。そして、画像データの属性は蓄積型であるか否かを判断する（ステップＳ３５）。すなわち、画像データの属性が、蓄積済みの画像データを使用する「蓄積型」（Ｙｅｓ）か、あるいはジョブ終了後に破棄される「テンポラリ型」であるかを判断する。
【００８９】上記ステップＳ３５において、画像データの属性が蓄積型である判断（Ｙｅｓ）した場合、画像データの属性がテンポラリ型である記憶領域に割り付ける（ステップＳ３６）。一方、親機のジョブで使用するデータが、テンポラリ型であると判断（Ｎｏ）した場合、ステップＳ３２に進み、親機と同じ記憶装置の割り付け処理を行う。
【００９０】ここで、上述した制御が必要な状況について説明する。たとえば「親機で実行するジョブの内容」が、そのジョブで使用する画像データが蓄積済みの画像データを使用する蓄積型であり、アプリケーション名が蓄積済みファイルの印刷アプリケーションである場合について考える。この場合、親機の割り付けでは、蓄積済み画像データの存在する記憶装置と記憶領域が割り付けられるが、子機の場合は、画像データは親機から転送されるため同様の割り付けルールが適用されると不具合が生じる。
【００９１】また、子機の割り付けが親機と同様に行われると、子機の蓄積属性をもつ領域、あるいは同一アプリケーションの属性のある領域が割り付けられ、親機から転送されてきた画像データが、その領域に蓄積され、親機と子機で同一のデータを２重に所有することになるので、
記憶装置の効率的な利用
【００９２】そこで、この実施の形態では上述したように、
子機における記憶領域の割り付けは、テンポラリ属性の画像データを取り扱う記憶領域を選択するように制御するので、親機から転送されてきた画像データはすべて子機側のテンポラリ型の属性をもつ記憶領域に記憶され、ジョブ実行後に転送されてきた画像データは削除されることになる
記憶装置の有効利用が実現する
　
（１−ｋ）図４として、
「
 
」
　
（１−ｌ）図９として、
「
」
　
（１−ｍ）図１０として、
「
 
」
　
　上記（１−ａ）等の記載から、「デジタル複写機」が「マスター機（
親機
子機
　
　したがって、上記の事項を総合すると、刊行物１には、次の発明（以下「刊行物１発明」という。）が開示されていると認められる。
　
「複数の画像形成装置に接続して装置の構成および機能情報、動作制御に関する情報の送受信を行うための連結コントローラを介して接続された他のデジタル複写機の情報を取得し、動作を設定することにより印刷を分担でき、親機とも子機ともなり得る、デジタル複写機であって、
　それぞれの分散制御装置とメインコントローラは、必要に応じて装置の状態や動作指令のやりとりを行い、
　親機から転送されてきた画像データはすべて子機側のテンポラリ型の属性をもつ記憶領域に記憶され、ジョブ実行後に転送されてきた画像データは削除されることになる、デジタル複写機。」
　
３　対比
　本願発明と刊行物１発明とを対比する。
　
（１）刊行物１発明の
「デジタル複写機」、
「（複数の画像形成装置に接続して装置の構成および機能情報、動作制御に関する情報の送受信を行うための連結コントローラを介して接続された他のデジタル複写機の情報を取得し、動作を設定することにより）印刷を分担でき」、
「親機とも子機ともなり得る」は、それぞれ、
　本願発明の
「複写機」、
「自機と１以上の他機とで画像データの印刷を分担する（分担印刷）」、
「『自機が前記分担印刷の親機として機能する』及び『自機が前記分担印刷の子機として機能する』」に相当する。
　
（２）刊行物１発明は、「複数の画像形成装置に接続して装置の構成および機能情報、動作制御に関する情報の送受信を行うための連結コントローラを介して接続された他のデジタル複写機の情報を取得し、動作を設定することにより印刷を分担でき、親機とも子機ともなり得る」ものであり、「それぞれの分散制御装置とメインコントローラは、必要に応じて装置の状態や動作指令のやりとりを行」うものであるから、本願発明の「自機と１以上の他機とで画像データの印刷を分担する分担印刷を制御する制御手段」に相当する構成を有することは明らかである。
　
（３）刊行物１発明の「デジタル複写機」は、「複数の画像形成装置に接続して装置の構成および機能情報、動作制御に関する情報の送受信を行うための連結コントローラを介して接続された他のデジタル複写機の情報を取得し、動作を設定することにより印刷を分担でき、親機とも子機ともなり得る」のであるから、「自機が前記分担印刷の親機として機能する場合」と、「自機が前記分担印刷の子機として機能する場合」とが存在することは当然のことである。
　
（４）上記（１）ないし（３）から、
　本願発明と刊行物１発明とは、
「自機と１以上の他機とで画像データの印刷を分担する分担印刷を制御する制御手段を有し、
　自機が前記分担印刷の親機として機能する場合と、
　自機が前記分担印刷の子機として機能する場合とがある、複写機。」
の点で一致し、下記の点で相違する。
　
［相違点１］：
　本願発明は、「自機から他機に送信した画像データの該他機での印刷の経過を監視する監視手段」及び「他機から受信した画像データの自機での印刷の経過を該他機に通知する通知手段」を備えるとともに、「自機が前記分担印刷の親機として機能する場合」、「前記監視手段は子機として機能する他機での印刷の経過を監視」し、「自機が前記分担印刷の子機として機能する場合」、「前記通知手段は自機での印刷の経過を親機として機能する他機に通知」するのに対し、
　刊行物１発明には、「複数の画像形成装置に接続して装置の構成および機能情報、動作制御に関する情報の送受信を行うための連結コントローラ」を有するものの、上記の特定がない点。
　
［相違点２］：
　本願発明は、「自機が前記分担印刷の親機として機能する場合」、「前記監視手段は子機として機能する他機での印刷の経過を監視」することに加えて、「前記制御手段は自機での印刷の経過と子機での印刷の経過とにより自機と子機とで分担した印刷が完了しているかどうかの判定を行い、分担した印刷が完了しているときには自機の印刷処理を終了するよう制御し」、「自機が前記分担印刷の子機として機能する場合」、「前記通知手段は自機での印刷の経過を親機として機能する他機に通知」することに加えて、「前記制御手段は親機の印刷実行状態に関わらず自機の印刷が完了しているときには自機の印刷処理を終了するよう制御する」のに対し、
　刊行物１発明には、そのような特定がなく、「親機から転送されてきた画像データはすべて子機側のテンポラリ型の属性をもつ記憶領域に記憶され、ジョブ実行後に転送されてきた画像データは削除されることになる」ものである点。
　
４　当審の判断
　上記相違点１及び２について検討する。
　
（１）相違点１について
ア　刊行物１発明は、「複数の画像形成装置に接続して装置の構成および機能情報、動作制御に関する情報の送受信を行うための連結コントローラ」を有するから、「装置の構成および機能情報、動作制御に関する情報の送受信を行う」ための「送信手段」及び「受信手段」を有することは自明の事項である。
　
イ　また、刊行物１には、「
記憶装置９１，９２が共に使用中であれば、自機は子機であるか否かを判断し（ステップＳ２４）、子機であればステップＳ１４にて未使用の記憶装置が存在しないので親機に対し連結モードの解除コマンドを送信
　
ウ　さらに、親機（マスター機）と子機（スレーブ機）とが連結モードによって作業を分担する際に、子機での処理が完了しなければジョブが終了しないのであるから、子機での処理の進捗状況を親機が監視することは、通常の技術的手段である。
　
エ　上記アないしウから、刊行物１発明において、「自機から他機に送信した画像データの該他機での印刷の経過を監視する監視手段」及び「他機から受信した画像データの自機での印刷の経過を該他機に通知する通知手段」を備えることは、当業者が適宜採用できる設計的事項というべきである。
　
オ　「自機が分担印刷の親機として機能する場合と、自機が分担印刷の子機として機能する場合とがある、複写機」において、「自機から他機に送信した画像データの該他機での印刷の経過を監視する監視手段」及び「他機から受信した画像データの自機での印刷の経過を該他機に通知する通知手段」を有するのであれば、「自機が前記分担印刷の親機として機能する場合」、「前記監視手段は子機として機能する他機での印刷の経過を監視」し、「自機が前記分担印刷の子機として機能する場合」、「前記通知手段は自機での印刷の経過を親機として機能する他機に通知」することは、当然の帰結である。
　
カ　上記エ及びオから、刊行物１発明において、上記相違点１に係る構成となすことは、当業者が適宜なし得たことである。
　
（２）相違点２について
ア　刊行物１発明の「親機から転送されてきた画像データはすべて子機側のテンポラリ型の属性をもつ記憶領域に記憶され、ジョブ実行後に転送されてきた画像データは削除されることになる」構成は、刊行物１に「
ジョブ終了後に蓄積した画像データが破棄され、つぎのジョブに備える
記憶装置の効率的な利用
　
イ　一方、本願発明において、「自機の印刷処理を終了する」との構成は、本願の当初明細書の「前記自装置と前記他の画像形成装置との
印刷処理が完了したと判断した場合、前記自装置が記憶する印刷データを削除する
　
ウ　「前記制御手段は親機の印刷実行状態に関わらず自機の印刷が完了しているときには自機の印刷処理を終了するよう制御する」点に関して、請求人は、請求の理由において「例えば子機として動作する際、装置のある場所では誰も操作していないにもかかわらず、分担印刷状態に入っているために、離れた場所の
親機での紙詰まり発生等によりロックされてしまい
親機の印刷実行状態に関わらず自機の印刷が完了しているときには自機の印刷処理を終了する』ことで早急にロックを解除できるという本願独自の効果が得られる
　しかしながら、刊行物１発明は、「
複数の画像形成装置に接続して装置の構成および機能情報、動作制御に関する情報の送受信を行う
必要に応じて装置の状態や動作指令のやりとりを行
　
エ　上記アないしウから、刊行物１発明において、「他のジョブに備える」ことを目的として、「親機から転送されてきた画像データはすべて子機側のテンポラリ型の属性をもつ記憶領域に記憶され、ジョブ実行後に転送されてきた画像データは削除されることになる」構成に代えて、「（自機が前記分担印刷の子機として機能する場合、）前記制御手段は親機の印刷実行状態に関わらず自機の印刷が完了しているときには自機の印刷処理を終了するよう制御する」構成を採用することは、当業者が容易になし得たことである。
　
オ　「自機が前記分担印刷の親機として機能する場合」において、「前記制御手段は自機での印刷の経過と子機での印刷の経過とにより自機と子機とで分担した印刷が完了しているかどうかの判定を行い、分担した印刷が完了しているときには自機の印刷処理を終了するよう制御」することは、ジョブがすべて終了しているのであるから、当然採用すべき自明の構成といえる。
　
カ　上記エ及びオから、刊行物１発明において、上記相違点２に係る構成となすことは、当業者が容易になし得たことである。
　
（３）本願発明が奏する効果について
　上記相違点１及び２によって本願発明が奏する効果は、当業者が刊行物１に記載された事項から予測し得る程度のものであって、格別のものではない。
　
（４）まとめ
　以上のとおり、刊行物１発明における上記相違点１及び２に係る構成の変更は、当業者が刊行物１に記載された発明に基づいて容易になし得たことである。
　
５　むすび
　以上のとおり、本願の請求項１に係る発明は、当業者が刊行物１に記載された発明に基づいて容易に発明をすることができたものであるから、特許法第２９条第２項の規定により特許を受けることができない。
　したがって、本願のその他の請求項に係る発明について検討するまでもなく、本願は拒絶すべきものである。
　
　よって、結論のとおり審決する。